(57)【特許請求の範囲】
【請求項１】
複数の作業者のそれぞれを認証する認証装置と、
前記複数の作業者のそれぞれに付着していた不純物を除去する不純物除去装置と、
前記複数の作業者のそれぞれについて、前記不純物を除去するために消費したエネルギーを監視する監視装置と、
前記認証された複数の作業者のそれぞれについて、前記消費エネルギーを記録する消費エネルギー記録装置と、
前記作業者と、前記消費エネルギーと、の関係を出力する出力装置と、
を備える、作業者管理システム。
【請求項２】
前記消費エネルギーの大きさに基づき、前記複数の作業者を順位付ける順位付け部を更に備える、請求項１に記載の作業者管理システム。
【請求項３】
前記複数の作業者の前記消費エネルギーの平均を算出する平均算出部と、
前記複数の作業者から、前記平均以上のエネルギーを消費した作業者を抽出する平均基準抽出部と、
を更に備える、請求項１又は２に記載の作業者管理システム。
【請求項４】
前記複数の作業者のそれぞれの前記消費エネルギーの分散を算出する分散算出部を更に備える、請求項１乃至３のいずれか１項に記載の作業者管理システム。
【請求項５】
前記複数の作業者から、前記消費エネルギーの分散が小さい作業者を抽出する小分散群抽出部を更に備える、請求項４に記載の作業者管理システム。
【請求項６】
前記複数の作業者から、前記消費エネルギーが大きく、前記消費エネルギーの分散が小さい作業者を抽出する小分散高負荷群抽出部を更に備える、請求項５に記載の作業者管理システム。
【請求項７】
前記複数の作業者から、前記消費エネルギーの分散が大きい作業者を抽出する大分散群抽出部を更に備える、請求項４に記載の作業者管理システム。
【請求項８】
前記不純物が粒子であり、前記不純物除去装置がエアシャワーである、請求項１乃至７のいずれか１項に記載の作業者管理システム。
【請求項９】
前記エアシャワーによって前記作業者から遊離した前記粒子を粒子検出装置で検出し、前記検出された粒子の数が所定の値以下になった場合に、前記エアシャワーが停止する、請求項８に記載の作業者管理システム。
【請求項１０】
前記エネルギーが前記エアシャワーの消費電力量である、請求項８又は９に記載の作業者管理システム。
【請求項１１】
前記消費エネルギーが前記不純物除去装置の稼働時間で表される、請求項１乃至１０のいずれか１項に記載の作業者管理システム。
【請求項１２】
複数の作業者のそれぞれを認証することと、
前記複数の作業者のそれぞれに付着していた不純物を除去することと、
前記複数の作業者のそれぞれについて、前記不純物を除去するために消費したエネルギーを監視することと、
前記認証された複数の作業者のそれぞれについて、前記消費エネルギーを記録することと、
前記作業者と、前記消費エネルギーと、の関係を出力することと、
を含む、作業者管理方法。
【請求項１３】
前記消費エネルギーの大きさに基づき、前記複数の作業者を順位付けることを更に含む、請求項１２に記載の作業者管理方法。
【請求項１４】
前記複数の作業者の前記消費エネルギーの平均を算出することと、
前記複数の作業者から、前記平均以上のエネルギーを消費した作業者を抽出することと、
を更に含む、請求項１２又は１３に記載の作業者管理方法。
【請求項１５】
前記複数の作業者のそれぞれの前記消費エネルギーの分散を算出することを更に含む、請求項１２乃至１４のいずれか１項に記載の作業者管理方法。
【請求項１６】
前記複数の作業者から、前記消費エネルギーの分散が小さい作業者を抽出することを更に含む、請求項１５に記載の作業者管理方法。
【請求項１７】
前記複数の作業者から、前記消費エネルギーが大きく、前記消費エネルギーの分散が小さい作業者を抽出することを更に含む、請求項１６に記載の作業者管理方法。
【請求項１８】
前記複数の作業者から、前記消費エネルギーの分散が大きい作業者を抽出することを更に含む、請求項１７に記載の作業者管理方法。
【請求項１９】
前記不純物が粒子であり、エアシャワーによって前記複数の作業者のそれぞれに付着していた前記粒子を除去する、請求項１２乃至１８のいずれか１項に記載の作業者管理方法。
【請求項２０】
前記エアシャワーによって前記作業者から遊離した前記粒子を粒子検出装置で検出し、前記検出された粒子の数が所定の値以下になった場合に、前記エアシャワーが停止することを更に含む、請求項１９に記載の作業者管理方法。
【請求項２１】
前記エネルギーが前記エアシャワーの消費電力量である、請求項１９又は２０に記載の作業者管理方法。
【請求項２２】
前記消費エネルギーが前記不純物を除去するための不純物除去装置の稼働時間で表される、請求項１２乃至２１のいずれか１項に記載の作業者管理方法。
【発明の詳細な説明】
【技術分野】
【０００１】
本発明は環境技術に関し、特に作業者管理システム及び作業者管理方法に関する。
【背景技術】
【０００２】
例えば食品工場及び製薬工場においては、バイオクリーンルーム等のクリーンルームに製造ラインが設置され、製品が細菌等の微生物によって汚染されることを防止している。また、クリーンルームに入室する作業者に伴って汚染物質がクリーンルームに侵入することを防止するために、クリーンルームに入室する作業者はエアブローされるのが一般的である（例えば、特許文献１乃至３参照。）。さらに、作業者に対しては、クリーンルームに汚染物質を持ち込まないための教育がなされている。作業者に対してなされる教育の内容は、作業者全員に対して共通であることが一般的である。また教育を受けた作業者が、クリーンルームに汚染物質を持ち込まないための行動をどの程度とるかは、個々の良識に任されている。
【先行技術文献】
【特許文献】
【０００３】
【特許文献１】特開平９−４１７４９号公報
【特許文献２】特開平１０−１３２３４６号公報
【特許文献３】特開２０００−９６４７１号公報
【発明の概要】
【発明が解決しようとする課題】
【０００４】
しかし、本発明者は、クリーンルームに汚染物質が侵入する要因において、作業者の喫煙や化粧等の個人的な生活習慣が占める割合が大きく、また作業者自身も、自己の生活習慣がクリーンルームに汚染物質を侵入させる要因となっていることに気付いていないことが多いことを見出した。そのため、作業者全員に対して画一的な教育をしても、クリーンルームの洗浄度が向上しにくいことを本発明者は見出した。そこで、本発明は、個々に生活習慣指導をすべき作業者を特定可能な、作業者管理システム及び作業者管理方法を提供することを目的の一つとする。
【課題を解決するための手段】
【０００５】
本発明の態様によれば、（ａ）複数の作業者のそれぞれを認証する認証装置と、（ｂ）複数の作業者のそれぞれに付着していた不純物を除去する不純物除去装置と、（ｃ）複数の作業者のそれぞれについて、不純物を除去するために消費したエネルギーを監視する監視装置と、（ｄ）認証された複数の作業者のそれぞれについて、消費エネルギーを記録する消費エネルギー記録装置と、（ｅ）作業者と、消費エネルギーと、の関係を出力する出力装置と、を備える、作業者管理システムが提供される。
【０００６】
また、本発明の態様によれば、（ａ）複数の作業者のそれぞれを認証することと、（ｂ）複数の作業者のそれぞれに付着していた不純物を除去することと、（ｃ）複数の作業者のそれぞれについて、不純物を除去するために消費したエネルギーを監視することと、（ｄ）認証された複数の作業者のそれぞれについて、消費エネルギーを記録することと、（ｅ）作業者と、消費エネルギーと、の関係を出力することと、を含む、作業者管理方法が提供される。
【発明の効果】
【０００７】
本発明によれば、個々に生活習慣指導をすべき作業者を特定可能な、作業者管理システム及び作業者管理方法を提供可能である。
【図面の簡単な説明】
【０００８】
【図１】本発明の第１の実施の形態に係る作業者管理システムの模式図である。
【図２】本発明の第１の実施の形態に係るクリーンルームと不純物除去室の模式図である。
【図３】本発明の第１の実施の形態に係る認証装置が認証した作業者の記録の第１の模式図である。
【図４】本発明の第１の実施例に係る不純物検出装置の模式図である。
【図５】本発明の第１の実施の形態に係る作業者による消費エネルギーの記録の模式図である。
【図６】本発明の第１の実施の形態に係る作業者管理方法を示すフローチャートである。
【図７】本発明の第１の実施の形態に係る認証装置が認証した作業者の記録の第２の模式図である。
【図８】本発明の第２の実施の形態に係る作業者管理システムの模式図である。
【図９】本発明の第２の実施の形態に係る作業者管理方法を示すフローチャートである。
【図１０】本発明の第３の実施の形態に係る作業者管理システムの模式図である。
【図１１】本発明の第３の実施の形態に係る作業者による消費エネルギーの記録の模式図の模式図である。
【図１２】本発明の第３の実施の形態に係る作業者管理方法を示すフローチャートである。
【図１３】本発明の第４の実施の形態に係る作業者管理システムの模式図である。
【図１４】本発明の第４の実施の形態に係る作業者管理方法を示すフローチャートである。
【図１５】本発明の第５の実施の形態に係る作業者管理システムの模式図である。
【図１６】本発明の第５の実施の形態に係る作業者管理方法を示すフローチャートである。
【発明を実施するための形態】
【０００９】
以下に本発明の実施の形態を説明する。以下の図面の記載において、同一又は類似の部分には同一又は類似の符号で表している。但し、図面は模式的なものである。したがって、具体的な寸法等は以下の説明を照らし合わせて判断するべきものである。また、図面相互間においても互いの寸法の関係や比率が異なる部分が含まれていることは勿論である。
【００１０】
（第１の実施の形態）
第１の実施の形態に係る作業者管理システムは、図１に示すように、複数の作業者のそれぞれを認証する認証装置６と、複数の作業者のそれぞれに付着していた不純物を除去する不純物除去装置７と、複数の作業者のそれぞれについて、不純物を除去するために消費したエネルギーを監視する監視装置８と、認証された複数の作業者のそれぞれについて、不純物を除去するために消費したエネルギーを記録する消費エネルギー記録装置４０１と、作業者と、消費エネルギーと、の関係を出力する出力装置５０１と、を備える。消費エネルギー記録装置４０１は、例えば中央演算処理装置（ＣＰＵ）３００に含まれている。出力装置５０１は、例えばＣＰＵ３００に接続されている。
【００１１】
認証装置６及び不純物除去装置７は、例えば図２に示すクリーンルーム５の前室である不純物除去室１０に配置される。クリーンルーム５は、例えば食品工場、製薬工場、及び精密機器工場等に設置されるが、これらに限定されない。不純物除去装置７は例えばエアシャワー又はエアブローであり、不純物除去室１０はエアシャワールーム又はエアブロー室とも呼ばれる。第１の実施の形態では、不純物除去装置７がエアシャワーである例を説明する。クリーンルーム５に入室する作業者は、まず第１の扉１１から不純物除去室１０に入室する。作業者一名が不純物除去室１０に入室した後、第１の扉１１が閉められる。認証装置６は、例えば、ＲＦＩＤ（Ｒａｄｉｏ  Ｆｒｅｑｕｅｎｃｙ  ＩＤｅｎｔｉｆｉｃａｔｉｏｎ）を用い、作業者が装着している識別ＩＣタグ等によって、作業者の氏名等の識別情報を確認する。認証装置６は、図３に示すように、確認した識別情報に、作業者の入室時間の情報を付与してもよい。認証装置６は、送受信機等を用いて、図１に示すネットワークに識別情報を送信する。なお、認証装置６は、個人の指紋、虹彩、指静脈、及び手静脈等を識別する生体認証技術を用いてもよい。また、ネットワークは、無線ネットワークであっても、有線ネットワークであってもよい。
【００１２】
第１の扉１１が閉められると、図２に示す不純物除去装置７が、例えばＨＥＰＡ（Ｈｉｇｈ  Ｅｆｆｉｃｉｅｎｃｙ  Ｐａｒｔｉｃｕｌａｔｅ  Ａｉｒ  Ｆｉｌｔｅｒ）及びＵＬＰＡ（Ｕｌｔｒａ  Ｌｏｗ  Ｐｅｎｅｔｒａｔｉｏｎ  Ａｉｒ  Ｆｉｌｔｅｒ）等の超高性能エアフィルタを通して、清浄な空気の気流を作業者に向けて放出する。これにより、作業者に付着していた粒子等の不純物が吹き飛ばされる。ここで、粒子とは、微生物、無害又は有害な化学物質、ごみ、ちり、及び埃等のダスト等を含む。吹き飛ばされた不純物は、不純物除去室１０の外部に排気口から排出される。不純物除去装置７は、作業者から吹き飛ばされ遊離した不純物の量が所定の基準値以下となった場合に、気流の放出を停止する。なお、不純物除去装置７は、消毒薬等を含む気流を作業者に向けて放出してもよい。
【００１３】
図１に示すように、監視装置８は、不純物除去装置７に接続されている。監視装置８は、不純物除去装置７が認証された作業者に付着していた不純物を除去するために消費したエネルギーを監視する。なお、不純物除去装置７の消費エネルギーは、不純物除去装置７の消費電力と不純物除去装置７の稼働時間の積で表される。したがって、不純物除去装置７の消費電力が一定である場合は、不純物除去装置７の消費エネルギーを表す指標として、不純物除去装置７の稼働時間を監視してもよい。この場合、監視装置８は例えばタイマーであり、不純物除去装置７の稼働開始時刻と、稼働終了時刻と、を監視し、稼働終了時刻と、稼働開始時刻と、の差から、稼働時間を計測する。監視装置８は、不純物除去装置７の消費エネルギーを示す情報を、送受信機等を用いて、ネットワークに送信する。なお、監視装置８の機能は、ＣＰＵ３００によって発揮されてもよい。
【００１４】
図２に示すように、不純物除去室１０には、不純物検出装置２０がさらに配置されている。なお、不純物検出装置２０は、不純物除去室１０の排気口に配置されていてもよい。不純物検出装置２０は、図４に示すように、気体を内部に吸引するための吸引口２１と、検査後の気体を不純物除去室１０に戻すための排気口２２と、を有する。不純物検出装置２０は、吸引した気体に含まれる粒子等の不純物の量を検出する。例えば、細菌ディテクター、粒子検出装置、及びパーティクルカウンタ等が不純物検出装置２０として使用可能である。
【００１５】
不純物検出装置２０が検出した不純物の量が所定の基準値以下となった場合、不純物検出装置２０は、図２に示す不純物除去装置７に、不純物検出装置２０が検出した不純物の量が基準値以下となったことを通知する。通知を受けた不純物除去装置７は、作業者から吹き飛ばされ遊離した不純物の量が所定の基準値以下となったものとして、気流の放出を停止する。作業者に付着していた不純物が不純物除去装置７で除去されると、作業者は、不純物除去室１０とクリーンルーム５の間に設けられた第２の扉１２から、クリーンルーム５に入室することを許可される。
【００１６】
認証装置６、不純物除去装置７、監視装置８、及び不純物検出装置２０のそれぞれは、内部にバッテリを有していてもよいし、外部の電源装置から電流の供給を受けてもよい。
【００１７】
図１に示す情報受信機３は、ネットワークを経由してきた作業者の識別情報と、不純物除去装置７の消費エネルギーを示す情報と、を受信する。情報受信機３は、受信した情報をＣＰＵ３００に伝送する。情報受信機３はＣＰＵ３００に直接接続されていてもよいし、有線又は無線ローカルエリアネットワーク（ＬＡＮ）を介して接続されていてもよい。
【００１８】
ＣＰＵ３００は併合部３０１をさらに含む。併合部３０１は、不純物除去室１０に入室した作業者の識別情報と、作業者に付着していた不純物の除去のために不純物除去装置７が消費したエネルギーを示す情報と、併合（マージ）し、作業者毎の消費エネルギーを示す併合情報を作成する。併合情報は、作業者が不純物除去室１０に入室した時間を含んでいてもよい。併合部３０１は、作成した併合情報を含む入室ログファイルを、消費エネルギー記録装置４０１に、電気的又は磁気的に保存する。
【００１９】
なお、併合部３０１は、不純物除去室１０に入室した作業者の識別情報と、作業者に付着していた不純物の除去のために不純物除去装置７が消費したエネルギーを示す情報と、を受信するたびに併合情報を作成し、作成した併合情報を消費エネルギー記録装置４０１に蓄積的に保存する。これにより、複数の作業者のそれぞれについて、不純物除去装置７の消費エネルギーを示す情報が、消費エネルギー記録装置４０１に蓄積的に保存される。なお、複数の作業者に対して一つの入室ログファイルを作成してもよいし、作業者毎に入室ログファイルを作成してもよい。また、図３に示すように、ある作業者が複数回不純物除去室１０に入室した場合は、その作業者について、不純物除去装置７の消費エネルギーを示す情報が、消費エネルギー記録装置４０１に複数回保存される。この場合、過去に作成した入室ログファイルに情報を上書き保存していけばよい。
【００２０】
図１に示すＣＰＵ３００は順位付け部３０２及び順位記録装置４０２をさらに備える。順位付け部３０２は、不純物除去装置７の消費エネルギーに基づき、不純物除去室１０に入室した作業者を上り順又は下り順で順位付ける。なお、作業者が複数回、不純物除去室１０に入室した場合は、図５に示すように、消費エネルギーの合計を入室回数で割った消費エネルギーの平均値を算出し、消費エネルギーの平均値に基づき、不純物除去室１０に入室した作業者を上り順又は下り順で順位付けしてもよい。順位付け部３０２は、順位付けした作業者の情報を図１に示す順位記録装置４０２に電気的又は磁気的に記録する。さらに順位付け部３０２は、作業者と、消費エネルギーと、の関係として、不純物除去装置７の消費エネルギーに基づき順位付けした作業者を出力装置５０１に出力させる。出力装置５０１としては、ディスプレイ及びプリンタ等が使用可能である。
【００２１】
順位付け部３０２が、不純物除去装置７の消費エネルギーに基づき、不純物除去室１０に入室した作業者を上り順で順位付けした場合、不純物除去装置７の消費エネルギーが小さい若い順位の作業者を、不純物除去装置７の消費エネルギーが小さい規範的な作業者として抽出することが可能となる。また、順位付け部３０２が、不純物除去装置７の消費エネルギーに基づき、不純物除去室１０に入室した作業者を下り順で順位付けした場合、不純物除去装置７の消費エネルギーが大きい若い順位の作業者を、生活習慣改善指導の対象作業者として抽出することが可能となる。
【００２２】
次に、図６に示すフローチャートを用いて、第１の実施の形態に係る作業者管理方法について説明する。
（ａ）ステップＳ１０１で、一名の作業者が図２に示す第１の扉１１から不純物除去室１０に入室する。認証装置６は、作業者が装着している識別ＩＣタグ等によって、作業者の氏名等の識別情報を確認する。次に、認証装置６は、送受信機等を用いて、図１に示すネットワークに作業者の識別情報を送信する。ステップＳ１０２で、併合部３０１は、ネットワークから、作業者の識別情報を受信する。併合部３０１は、受信した作業者の識別情報を、内部メモリ等に記録する。また、併合部３０１は、認証された作業者による消費エネルギーの情報が送信されてくるのを待機する。
【００２３】
（ｂ）ステップＳ１０３で、図２に示す第１の扉１１が閉じられると、不純物検出装置２０が不純物の検出を開始する。またステップＳ１０４で、不純物除去装置７が、作業者から不純物を除去することを開始する。さらにステップＳ１０５で、監視装置８は、不純物除去装置７が稼働を開始したことを検知し、不純物除去装置７の稼働開始時刻を内部メモリ等に記録する。なお、ステップＳ１０３乃至ステップＳ１０５は、同時に実施されてもよい。
【００２４】
（ｃ）ステップＳ１０６で、不純物検出装置２０は、検出した不純物の量が所定の基準値以下になったか否かを判断する。検出した不純物の量が所定の基準値以下になっていない場合は、ステップＳ１０７に進み、不純物除去装置７は、作業者から不純物を除去することを継続する。
【００２５】
（ｄ）ステップＳ１０６で、検出した不純物の量が所定の基準値以下になった場合は、ステップＳ１０８に進み、不純物除去装置７は、作業者から不純物を除去することを終了する。ステップＳ１０９で、監視装置８は、不純物除去装置７が稼働を終了したことを検知し、不純物除去装置７の稼働終了時刻を内部メモリ等に記録する。ステップＳ１１０で、不純物検出装置２０は、不純物の検出を終了し、作業者は、第２の扉１２からクリーンルーム５に入室する。なお、ステップＳ１０８乃至ステップＳ１１０は、同時に実施されてもよい。
【００２６】
（ｅ）ステップＳ１１１で、監視装置８は、内部メモリから、不純物除去装置７の稼働開始時刻と、不純物除去装置７の稼働終了時刻と、を読み出す。次に、監視装置８は、稼働終了時刻と、稼働開始時刻と、の差から、不純物除去装置７の稼働時間を算出する。ステップＳ１１２で、監視装置８は、不純物除去装置７の稼働時間を示す情報を、送受信機等を用いて、ネットワークに送信する。これに対し、併合部３０１は、ネットワークから、不純物除去装置７の稼働時間を示す情報を受信する。併合部３０１は、受信した不純物除去装置７の稼働時間を示す情報を、内部メモリ等に記録する。
【００２７】
（ｆ）ステップＳ１１３で、併合部３０１は、内部メモリから、作業者の識別情報と、不純物除去装置７の稼働時間を示す情報と、を読み出し、併合して、併合情報を作成する。併合部３０１は、作成した併合情報を含む入室ログファイルを、消費エネルギー記録装置４０１に保存する。ステップＳ１１４で、統計の開始の指示がＣＰＵ３００に対してなされるまでは、ステップＳ１０１乃至ステップＳ１１３が繰り返し実施される。これにより、作業者が不純物除去室１０に入室するたびに、作業者が消費したエネルギーの情報が、消費エネルギー記録装置４０１に蓄積的に記録される。
【００２８】
（ｇ）ステップＳ１１４で、統計の開始の指示がＣＰＵ３００に対してなされると、ステップＳ２０１で、順位付け部３０２は、消費エネルギー記録装置４０１から併合情報を読み出す。次に、順位付け部３０２は、併合情報に記録されている不純物除去装置７の消費エネルギーに基づき、不純物除去室１０に入室した作業者を上り順又は下り順で順位付ける。その後、順位付け部３０２は、順位付けした作業者を順位記録装置４０２に記録する。さらに順位付け部３０２は、作業者と、消費エネルギーと、の関係として、不純物除去装置７の消費エネルギーに基づき順位付けした作業者を出力装置５０１に出力させる。なお、順位付け部３０２は、１週間毎、１ヶ月毎等、所定の期間毎に、自動的に順位付けを行ってもよい。
【００２９】
従来、クリーンルームに入室する作業者に対しては、自ら清潔を心がけることを奨励していた。しかし、作業者の主観的な判断で清潔を心がけても、クリーンルームの清浄度を維持する観点からは充分でない場合も起こりうる。また、作業者が、自身は清潔を保っていると誤った認識を持つ場合も起こりうる。これに対し、第１の実施の形態に係る作業者管理方法によれば、不純物除去装置７の消費エネルギーの大小という客観的な情報に基づき、個々の作業者の清潔度を管理することが可能となる。また、消費エネルギーが大きいとして抽出された作業者に対して、消費エネルギーを示すことにより、作業者に対して、現状からどの程度生活習慣を改善すればよいのか、教育指導をすることが可能となる。さらに、消費エネルギーが大きいとして抽出された作業者が清潔を心がけることにより、その後の不純物除去装置７の消費エネルギーを低減することが可能となる。
【００３０】
また、作業者に対する教育を終了した後、併合情報に含まれる消費エネルギーの値をゼロにリセットしてもよい。併合情報に含まれる消費エネルギーの値をゼロにリセットした後、再度、図６に示す第１の実施の形態に係る作業者管理方法を実施することにより、教育前後における消費エネルギーの変化を評価することが可能となる。また、消費エネルギーの変化の大小に基づき、教育効果について評価することも可能となる。
【００３１】
なお、以上においては、不純物除去室１０に作業者が一人ずつ入室する場合を説明したが、図７に示すように、不純物除去室１０に複数の作業者が同時に入室した場合は、不純物除去装置７の消費エネルギーを作業者の数で割り、作業者の数で割られた消費エネルギーを、個々の作業者に関連づければよい。また、この場合、不純物検出装置２０が検出した不純物の量が、一人あたりの所定の基準値に作業者の数をかけた値以下になった場合に、不純物除去装置７は、稼働を停止してもよい。
【００３２】
（第２の実施の形態）
第２の実施の形態に係る作業者管理システムは、図８に示すように、ＣＰＵ３００が、平均算出部３０３と、平均基準抽出部３０４と、をさらに含む。平均算出部３０３は、不純物除去室１０に入室した複数の作業者による不純物除去装置７の消費エネルギーの平均を算出する。平均基準抽出部３０４は、不純物除去室１０に入室した複数の作業者から、平均算出部３０３が算出した平均以上のエネルギーを消費した作業者を抽出する。平均基準抽出部３０４は、抽出した平均以上のエネルギーを消費した作業者をＣＰＵ３００に含まれる平均基準抽出者記録装置４０３に電気的又は磁気的に記録する。また、平均基準抽出部３０４は、作業者と、消費エネルギーと、の関係として、不純物除去に平均以上のエネルギーを消費した作業者を出力装置５０１に出力させる。これにより、不純物除去に平均以上のエネルギーを消費した作業者を、生活習慣改善指導の対象者として抽出することが可能となる。第２の実施の形態に係る作業者管理システムのその他の構成要素は、第１の実施の形態に係る作業者管理システムと同様であるので、説明は省略する。
【００３３】
次に、図９に示すフローチャートを用いて、第２の実施の形態に係る作業者管理方法について説明する。まず、第１の実施の形態と同様に、ステップＳ１０１乃至ステップＳ１１４が繰り返し実施される。ステップＳ１１４で、統計の開始の指示がＣＰＵ３００に対してなされると、ステップＳ３０１で、平均算出部３０３は、消費エネルギー記録装置４０１から併合情報を読み出す。次に、平均算出部３０３は、不純物除去室１０に入室した複数の作業者による不純物除去装置７の消費エネルギーの平均を算出する。平均算出部３０３は、算出した複数の作業者による不純物除去装置７の消費エネルギーの平均を、平均基準抽出部３０４に伝送する。ステップＳ３０２で、平均基準抽出部３０４は、不純物除去室１０に入室した複数の作業者から、平均算出部３０３が算出した平均以上のエネルギーを消費した作業者を抽出する。その後、平均基準抽出部３０４は、抽出した平均以上のエネルギーを消費した作業者を平均基準抽出者記録装置４０３に電気的又は磁気的に記録する。また、平均基準抽出部３０４は、不純物除去に平均以上のエネルギーを消費した作業者を出力装置５０１に出力させる。
【００３４】
（第３の実施の形態）
第３の実施の形態に係る作業者管理システムは、図１０に示すように、ＣＰＵ３００が、分散算出部３０５と、小分散群抽出部３０６と、をさらに含む。分散算出部３０５は、図１１に示すように、複数の作業者のそれぞれが不純物除去室１０に複数回入室した場合における、複数の作業者のそれぞれによる不純物除去装置７の消費エネルギーの分散を算出する。図１０に示す小分散群抽出部３０６は、不純物除去室１０に複数回入室した複数の作業者から、分散算出部３０５が算出した消費エネルギーの分散が他の作業者より小さい作業者を抽出する。小分散群抽出部３０６は、抽出した消費エネルギーの分散が小さい作業者をＣＰＵ３００に含まれる小分散群記録装置４０４に電気的又は磁気的に記録する。また、小分散群抽出部３０６は、作業者と、消費エネルギーと、の関係として、不純物除去のための消費エネルギーの分散が小さい作業者を出力装置５０１に出力させる。
【００３５】
不純物除去のための消費エネルギーの分散が小さい作業者は、不純物が付着する要因が、喫煙、化粧等の特定の生活習慣にある傾向にある。したがって、小分散群抽出部３０６で抽出された作業者のそれぞれに対し、特定の生活習慣を正すことを指導することにより、クリーンルーム５の環境を改善することが可能となる。第３の実施の形態に係る作業者管理システムのその他の構成要素は、第２の実施の形態に係る作業者管理システムと同様であるので、説明は省略する。
【００３６】
次に、図１２に示すフローチャートを用いて、第３の実施の形態に係る作業者管理方法について説明する。まず、第１の実施の形態と同様に、ステップＳ１０１乃至ステップＳ１１４が繰り返し実施される。ステップＳ１１４で、統計の開始の指示がＣＰＵ３００に対してなされると、ステップＳ４０１で、分散算出部３０５は、消費エネルギー記録装置４０１から併合情報を読み出す。次に、分散算出部３０５は、個々の作業者による不純物除去装置７の消費エネルギーの分散を算出する。分散算出部３０５は、算出した個々の作業者による不純物除去装置７の消費エネルギーの分散を、小分散群抽出部３０６に伝送する。ステップＳ４０２で、小分散群抽出部３０６は、消費エネルギーの分散が他の作業者より小さい作業者を抽出する。その後、小分散群抽出部３０６は、抽出した消費エネルギーの分散が他の作業者より小さい作業者の情報を小分散群記録装置４０４に電気的又は磁気的に記録する。また、小分散群抽出部３０６は、消費エネルギーの分散が他の作業者より小さい作業者を出力装置５０１に出力させる。
【００３７】
（第４の実施の形態）
第４の実施の形態に係る作業者管理システムは、図１３に示すように、ＣＰＵ３００が、小分散高負荷群抽出部３０７をさらに含む。小分散高負荷群抽出部３０７は、消費エネルギーの値が他の作業者より大きく、消費エネルギーの分散が他の作業者より小さい作業者を抽出する。小分散高負荷群抽出部３０７は、抽出した、消費エネルギーの値が他の作業者より大きく、消費エネルギーの分散が他の作業者より小さい作業者を、ＣＰＵ３００に含まれる小分散高負荷群記録装置４０５に電気的又は磁気的に記録する。また、小分散高負荷群抽出部３０７は、作業者と、消費エネルギーと、の関係として、不純物除去のための消費エネルギーの値が他の作業者より大きく、消費エネルギーの分散が他の作業者より小さい作業者を出力装置５０１に出力させる。
【００３８】
不純物除去のための消費エネルギーの値が他の作業者より大きく、消費エネルギーの分散が小さい作業者は、不純物が付着する要因が、喫煙、化粧等の特定の生活習慣にあり、かつ喫煙の回数が多い、化粧の量が多い等、その特定の生活習慣への依存度が強い傾向にある。したがって、小分散高負荷群抽出部３０７で抽出された作業者のそれぞれに対し、特定の生活習慣を正すことを指導することにより、クリーンルーム５の環境を改善することが可能となる。第４の実施の形態に係る作業者管理システムのその他の構成要素は、第３の実施の形態に係る作業者管理システムと同様であるので、説明は省略する。
【００３９】
次に、図１４に示すフローチャートを用いて、第４の実施の形態に係る作業者管理方法について説明する。まず、第１の実施の形態と同様に、ステップＳ１０１乃至ステップＳ１１４が繰り返し実施される。ステップＳ１１４で、統計の開始の指示がＣＰＵ３００に対してなされると、ステップＳ５０１で、分散算出部３０５は、消費エネルギー記録装置４０１から併合情報を読み出す。次に、分散算出部３０５は、不純物除去室１０に入室した複数の作業者による不純物除去装置７の消費エネルギーの分散を算出する。分散算出部３０５は、算出した複数の作業者による不純物除去装置７の消費エネルギーの分散を、小分散高負荷群抽出部３０７に伝送する。ステップＳ５０２で、小分散高負荷群抽出部３０７は、消費エネルギーの値が他の作業者より大きく、消費エネルギーの分散が他の作業者より小さい作業者を抽出する。その後、小分散高負荷群抽出部３０７は、抽出した消費エネルギーの値が他の作業者より大きく、消費エネルギーの分散が他の作業者より小さい作業者の情報を小分散高負荷群記録装置４０５に電気的又は磁気的に記録する。また、小分散高負荷群抽出部３０７は、消費エネルギーの値が他の作業者より大きく、消費エネルギーの分散が他の作業者より小さい作業者を出力装置５０１に出力させる。
【００４０】
（第５の実施の形態）
第５の実施の形態に係る作業者管理システムは、図１５に示すように、ＣＰＵ３００が、大分散群抽出部３０８をさらに含む。大分散群抽出部３０８は、不純物除去室１０に複数回入室した複数の作業者から、分散算出部３０５が算出した消費エネルギーの分散が他の作業者より大きい作業者を抽出する。大分散群抽出部３０８は、抽出した消費エネルギーの分散が小大きい作業者をＣＰＵ３００に含まれる大分散群記録装置４０６に電気的又は磁気的に記録する。また、大分散群抽出部３０８は、作業者と、消費エネルギーと、の関係として、不純物除去のための消費エネルギーの分散が大きい作業者を出力装置５０１に出力させる。
【００４１】
不純物除去のための消費エネルギーの分散が大きい作業者は、不純物が付着する要因が、喫煙、化粧等の個人の生活習慣とは異なる傾向にある。したがって、大分散群抽出部３０８で抽出された作業者全員に対して、例えば、訪問する頻度は低いが、訪問すると不純物が付着しやすい場所等を教育することにより、クリーンルーム５の環境を改善することが可能となる。第５の実施の形態に係る作業者管理システムのその他の構成要素は、第４の実施の形態に係る作業者管理システムと同様であるので、説明は省略する。
【００４２】
次に、図１６に示すフローチャートを用いて、第５の実施の形態に係る作業者管理方法について説明する。まず、第１の実施の形態と同様に、ステップＳ１０１乃至ステップＳ１１４が繰り返し実施される。ステップＳ１１４で、統計の開始の指示がＣＰＵ３００に対してなされると、ステップＳ６０１で、分散算出部３０５は、消費エネルギー記録装置４０１から併合情報を読み出す。次に、分散算出部３０５は、不純物除去室１０に入室した複数の作業者による不純物除去装置７の消費エネルギーの分散を算出する。分散算出部３０５は、算出した複数の作業者による不純物除去装置７の消費エネルギーの分散を、大分散群抽出部３０８に伝送する。ステップＳ６０２で、大分散群抽出部３０８は、消費エネルギーの分散が他の作業者より大きい作業者を抽出する。その後、大分散群抽出部３０８は、抽出した消費エネルギーの分散が他の作業者より大きい作業者の情報を大分散群記録装置４０６に電気的又は磁気的に記録する。また、大分散群抽出部３０８は、消費エネルギーの分散が他の作業者より大きい作業者を出力装置５０１に出力させる。
【００４３】
（その他の実施の形態）
上記のように、本発明を実施の形態によって記載したが、この開示の一部をなす記述及び図面はこの発明を限定するものであると理解するべきではない。この開示から当業者には様々な代替実施の形態、実施の形態及び運用技術が明らかになるはずである。例えば、一般に、手指には１０４−５程度の細菌が存在する。手術時においては、医師は、手指消毒によって、手指に存在する細菌数を１０２−３程度に減らすことを要求される場合がある。手術中に手袋が破損しても、患者が細菌によって汚染される危険性を最小限に抑えるためである。手術の前に行われる医師の手の消毒において、通常は、滅菌水と、ブラシと、を用いた手洗いが行われている。しかし、個人によって手の洗い方は異なり、標準化されていない。また、滅菌水の製造コストは高くため、無駄に滅菌水を消費すると、手術の経費を上昇させることとなる。そのため、普通石鹸による素洗い法と、速乾性擦式手指消毒剤のみで行う手術時手指消毒法と、を組み合わせた消毒法が提案されている。
【００４４】
ここで、石鹸の使用量等を、医師から不純物を除去するための消費エネルギーとして監視し、記録してもよい。石鹸の使用量は、石鹸の重量変化をセンサによって検出することにより、特定することが可能である。あるいは、石鹸が液体石鹸である場合は、ノズルからの液体石鹸の吐出量をセンサによって検出することにより、石鹸の使用量を特定可能である。不純物の除去が完了したか否かは、手を洗った後、手をペーパータオルで拭き、ペーパータオルに付着した不純物の量を検査することにより、確認可能である。その後、医師毎に、手の洗浄に要した消費エネルギーを出力することにより、手の洗い方に改善の余地がある医師を抽出することが可能となる。
【００４５】
さらに他の実施の形態として、不純物除去装置として、紫外線灯などの紫外線殺菌装置を用いる例を説明する。紫外線の波長は３２８ｎｍ乃至２１０ｎｍである。例えば医師は、手術室に入室する前に、紫外線殺菌装置に手をさらして、手の消毒を行う。しかし、紫外線は、紫外線誘発皮膚紅斑や角結膜炎の流行を引き起こす場合がある。そのため、手が紫外線に照射される時間は、必要最小限にとどめることが好ましい。したがって、手に付着している細菌数によらずに一定時間、手に紫外線を照射することより、手に付着している細菌数に応じて、必要最小限の紫外線を手に照射することが好ましい。
【００４６】
これに対し、手に紫外線を照射しつつ、ブローを行い、捕集される細菌数をカウントすることにより、細菌数が基準値以下となった場合に、紫外線照射を停止すればよい。また、紫外線照射時間等、紫外線殺菌装置の消費エネルギーを示す情報を医師毎に出力することにより、生活改善指導の対象とすべき医師を抽出することが可能である。また、生活の改善により、紫外線照射時間が短縮されれば、医師が紫外線照射により健康を損なわれることを防止することも可能となる。この様に、本発明はここでは記載していない様々な実施の形態等を包含するということを理解すべきである。
【符号の説明】
【００４７】
３      情報受信機
５      クリーンルーム
６      認証装置
７      不純物除去装置
８      監視装置
１０    不純物除去室
１１    第１の扉
１２    第２の扉
２０    不純物検出装置
２１    吸引口
２２    排気口
３０１  併合部
３０２  順位付け部
３０３  平均算出部
３０４  平均基準抽出部
３０５  分散算出部
３０６  小分散群抽出部
３０７  小分散高負荷群抽出部
３０８  大分散群抽出部
４０１  消費エネルギー記録装置
４０２  順位記録装置
４０３  平均基準抽出者記録装置
４０４  小分散群記録装置
４０５  小分散高負荷群記録装置
４０６  大分散群記録装置
５０１  出力装置
【図１】
0005902026.tif 000002
【図２】
0005902026.tif 000003
【図３】
0005902026.tif 000004
【図４】
0005902026.tif 000005
【図５】
0005902026.tif 000006
【図６】
0005902026.tif 000007
【図７】
0005902026.tif 000008
【図８】
0005902026.tif 000009
【図９】
0005902026.tif 000010
【図１０】
0005902026.tif 000011
【図１１】
0005902026.tif 000012
【図１２】
0005902026.tif 000013
【図１３】
0005902026.tif 000014
【図１４】
0005902026.tif 000015
【図１５】
0005902026.tif 000016
【図１６】
0005902026.tif 000017